(57)【要約】  本発明は、サイバー・ペット・サービスまたはソボット・サービス方法及びシステムに関する。本発明によれば、コンピュータ、移動端末（携帯電話）、ＩＰＴＶなどの多数の端末に対してソボット・サービスを提供することができ、主人が移動端末を所持して外出または帰宅する場合、コンピュータから移動端末へ、移動端末からコンピュータへとソボットを自動に移動させることができるソボット・サービスを提供する。
2008542906.tif 000002
【特許請求の範囲】
【請求項１】
位置追跡システムと連係しているソボット・サービス・システムが、移動端末の位置情報に基づいて、所定の地域範囲に配置されているコンピュータと移動端末との間でソボットを自動的に移動させる、ソボット・サービス方法において、
（ａ）位置追跡システムからリアルタイムで加入者の移動端末の位置情報が伝送されるステップと、
（ｂ）前記ステップ（ａ）の位置情報に基づいて、前記移動端末が前記所定の地域範囲を離脱しているか否か、または前記所定の地域範囲に進入しているか否かを判断するステップと、
（ｃ）前記ステップ（ｂ）における判断の結果、前記移動端末が前記所定の地域範囲を離脱している場合、前記加入者のコンピュータへソボット・プログラムの実行終了指令を伝送後、前記移動端末へアップデート用ソボット情報及びソボット・プログラムの実行指令を伝送するステップ（ｃ１）、及び前記ステップ（ｂ）における判断の結果、前記移動端末が前記所定の地域範囲に進入している場合、前記移動端末へソボット・プログラムの実行終了指令を伝送後、前記コンピュータへアップデート用ソボット情報及びソボット・プログラムの実行指令を伝送するステップ（ｃ２）のうちのいずれか一つが選択されて行われるステップと、
を含むことを特徴とするソボット・サービス方法。
【請求項２】
前記ステップ（ｃ１）での前記アップデート用ソボット情報は、前記移動端末に格納されているソボット情報の最終修正時刻後、前記ソボット・サービス・システムのデータベースにアップデートされたソボット情報であり、
前記ステップ（ｃ２）での前記アップデート用ソボット情報は、前記コンピュータに格納されているソボット情報の最終修正時刻後、前記ソボット・サービス・システムのデータベースにアップデートされたソボット情報であることを特徴とする請求項１に記載のソボット・サービス方法。
【請求項３】
前記ステップ（ｃ１）は、
前記ステップ（ｂ）における判断の結果、前記移動端末が前記所定の地域範囲を離脱している場合、前記移動端末へソボット・プログラムの実行如何を問い合せて、前記加入者が前記移動端末で該ソボット・プログラムの実行を受諾すれば、前記加入者のコンピュータへソボット・プログラムの実行終了指令を伝送後、前記移動端末へアップデート用ソボット情報及びソボット・プログラムの実行指令を伝送するステップであり、
前記ステップ（ｃ２）は、
前記ステップ（ｂ）における判断の結果、前記移動端末が前記所定の地域範囲に進入している場合、前記加入者のコンピュータへソボット・プログラムの実行如何を問い合せて、前記加入者が前記コンピュータで該ソボット・プログラムの実行を受諾すれば、前記移動端末へソボット・プログラムの実行終了指令を伝送後、前記コンピュータへアップデート用ソボット情報及びソボット・プログラムの実行指令を伝送するステップである
ことを特徴とする請求項１または２に記載のソボット・サービス方法。
【請求項４】
前記ステップ（ａ）の前に、
加入者がコンピュータでソボット・サービス・システムへ接続して加入者の移動端末を含む情報を入力してサービス加入申立を行って、該ソボット・サービス・システムが位置追跡システムから前記加入者の移動端末の位置情報を受信し、該情報を前記コンピュータへ伝送すれば、前記加入者は前記位置情報に基づいて、所定の地域範囲を登録するステップを、さらに含むことを特徴とする請求項１に記載のソボット・サービス方法。
【請求項５】
前記ステップ（ａ）の前に、前記所定の地域範囲の登録後、
各モジュールを制御するための制御部と、加入者にソボットの飼育手段を提供する飼育手段提供モジュールと、加入者から入力された飼育情報を受け付ける飼育情報受付モジュールと、ソボット情報に基づいてソボットの現在状態及び／又は行動を算出して表示するソボット状態表示モジュールと、アップデート済のソボット情報をソボット・サービス・システムへ伝送するソボット情報伝送モジュールと、ソボット・サービス・システムからソボット・プログラムの実行指令または実行終了指令を受け付けて該プログラムを実行または終了させる実行制御モジュールと、を備えるソボット・プログラムを、前記コンピュータ及び前記移動端末へ伝送するステップを、さらに含むことを特徴とする請求項４に記載のソボット・サービス方法。
【請求項６】
前記ステップ（ｃ１）での前記ソボット・プログラムの実行終了指令は、
前記加入者のホーム・ゲートウエーを介して前記加入者のコンピュータへ伝送され、
前記ステップ（ｃ２）での前記ソボット・プログラムの実行指令は、
前記加入者のホーム・ゲートウエーを介して前記加入者のコンピュータへ伝送される
ことを特徴とする請求項１に記載のソボット・サービス方法。
【請求項７】
位置追跡システムと連係し、移動端末の位置情報に基づいて、所定の地域範囲に配置されているコンピュータと移動端末との間でソボットを自動に移動させるソボット・サービス・システムにおいて、
加入者の移動端末別の地域範囲情報が格納されている加入者情報データベースと、
位置追跡システムから前記加入者移動端末の位置情報をリアルタイムで受信し、前記加入者情報データベースに格納された前記加入者移動端末の地域範囲を問い合わせ、前記移動端末が前記所定の地域範囲を離脱または進入しているか否かを判断する位置情報分析モジュールと、
前記加入者の移動端末またはコンピュータへソボット・プログラム実行指令またはソボット・プログラム実行終了指令を情報通信網を介して伝送することによって、該ソボット・プログラムの実行及び終了を制御する実行制御モジュールと、
前記移動端末または前記コンピュータでソボット・プログラムが実行されている間、前記移動端末または前記コンピュータからソボット情報を受信してデータベースに格納するソボット情報受信モジュールと、
データベースに格納されているソボット情報のうち、前記移動端末または前記コンピュータへアップデート用ソボット情報を伝送するソボット情報提供モジュールと、
前記位置情報分析モジュールで前記移動端末が前記所定の地域範囲を離脱していると判断されれば、前記実行制御モジュールを呼び出して、前記コンピュータへはソボット・プログラム実行終了指令を伝送するようにし、前記実行制御モジュール及びソボット情報提供モジュールを呼び出して、前記移動端末へはソボット・プログラム実行指令及びアップデート用ソボット情報を伝送するようにし、前記位置情報分析モジュールで前記移動端末が前記所定の地域範囲に進入していると判断されれば、前記実行制御モジュールを呼び出して、前記移動端末へはソボット・プログラム実行終了指令を伝送するようにし、前記実行制御モジュール及びソボット情報提供モジュールを呼び出して、前記コンピュータへはソボット・プログラム実行指令及びアップデート用ソボット情報を伝送するようにする制御部と、
を含むことを特徴とするソボット・サービス・システム。
【請求項８】
加入者のコンピュータまたは移動端末へソボット・プログラムの実行如何を問い合せた後、その結果を受信して前記実行制御モジュールへ伝達する実行問合せモジュールをさらに含み、
前記実行制御モジュールは、
前記実行問合せモジュールにより実行受諾に関するデータが受け付けられる場合に限り、ソボット・プログラム実行指令及びソボット・プログラム実行終了指令を前記移動端末または前記コンピュータへ伝送するモジュールであることを特徴とする請求項７に記載のソボット・サービス・システム。
【請求項９】
前記ソボット・プログラムは、
加入者がソボットを飼育することができる手段を提供する飼育手段提供モジュールと、
加入者がコンピュータまたは移動端末の入力装置を通じてソボットの飼育手段の中の少なくとも一つ以上を選択すれば、前記飼育情報を受け付けてソボット情報データベースに格納する飼育情報受付モジュールと、
予め決定されたソボット生まれ情報、前記飼育情報受付モジュールにより格納されたソボット飼育情報、及び前記ソボット生まれ情報及び／又は前記ソボット飼育情報によるソボット状態情報が格納されているソボット情報データベースと、
ソボットの状態または行動に応じるソボットのイメージ（写真、絵柄または動画）ファイルが格納されているソボット・イメージ・データベースと、
前記ソボット情報データベースに格納されたソボット情報に基づいて、ソボットの現在状態を算出し、該ソボットの現在状態及び／又は行動にマッチするソボットのイメージを前記ソボット・イメージ・データベースから読み出して表示するソボット状態表示モジュールと、
ソボット・プログラムが実行されている間、前記ソボット情報データベースにアップデートされるソボット情報を情報通信網を介してソボット・サービス・システムへ伝送するソボット情報伝送モジュールと、
前記ソボット・サービス・システムからソボット・プログラムの実行指令または実行終了指令に応じてプログラムの実行及び終了を制御する実行制御モジュールと、
を含むことを特徴とする請求項１または７に記載のソボット・サービス・システム。
【請求項１０】
前記ソボットのイメージ（写真、絵柄または動画）ファイルは、
愛玩動物イメージ・ファイルまたは人間イメージ・ファイルを含むことを特徴とする請求項９に記載のソボット・サービス・システム。
【請求項１１】
位置追跡システムと連係しているソボット・サービス・システムが、移動端末の位置情報に基づいて、所定の地域範囲に配置されているコンピュータと移動端末との間でソボットを自動に移動させる、ソボット・サービス方法において、
（ａ）位置追跡システムが加入者の移動端末の離脱情報または進入情報を伝送すれば、それを受信するステップと、
（ｂ）前記ステップ（ａ）にて前記移動端末の離脱情報が受信された場合、前記加入者のコンピュータへソボット・プログラムの実行終了指令を伝送後、前記移動端末へアップデート用ソボット情報及びソボット・プログラムの実行指令を伝送するステップ（ｂ１）、及び前記ステップ（ａ）にて前記移動端末の進入情報が受信された場合、前記移動端末へソボット・プログラムの実行終了指令を伝送後、前記コンピュータへアップデート用ソボット情報及びソボット・プログラムの実行指令を伝送するステップ（ｂ２）のうちのいずれか一つが選択されて行われるステップと、
を含むことを特徴とするソボット・サービス方法。
【請求項１２】
位置追跡システムと連係し、移動端末の位置情報に基づいて、所定の地域範囲に配置されているコンピュータと移動端末との間でソボットを自動に移動させるソボット・サービス・システムにおいて、
位置追跡システムから加入者の移動端末の離脱情報または進入情報を受け付ける位置情報受付モジュールと、
前記加入者の移動端末またはコンピュータへソボット・プログラム実行指令またはソボット・プログラム実行終了指令を情報通信網を介して伝送することによって、ソボット・プログラムの実行及び終了を制御する実行制御モジュールと、
前記移動端末または前記コンピュータでソボット・プログラムが実行されている間、前記移動端末または前記コンピュータからソボット情報を受信してデータベースに格納するソボット情報受信モジュールと、
データベースに格納されているソボット情報のうち、前記移動端末または前記コンピュータへアップデート用ソボット情報を伝送するソボット情報提供モジュールと、
前記位置情報受付モジュールで前記移動端末の離脱情報が受け付けられれば、前記実行制御モジュールを呼び出して、前記コンピュータへはソボット・プログラム実行終了指令を伝送するようにし、前記実行制御モジュール及びソボット情報提供モジュールを呼び出して、前記移動端末へはソボット・プログラム実行指令及びアップデート用ソボット情報を伝送するようにし、前記位置情報受付モジュールで前記移動端末の進入情報が受け付けられれば、前記実行制御モジュールを呼び出して、前記移動端末へはソボット・プログラム実行終了指令を伝送するようにし、前記実行制御モジュール及びソボット情報提供モジュールを呼び出して、前記コンピュータへはソボット・プログラム実行指令及びアップデート用ソボット情報を伝送するようにする制御部と、
を含むことを特徴とするソボット・サービス・システム。
【発明の詳細な説明】
【技術分野】
【０００１】
本発明は、ソボット・サービス方法及びシステムに関し、より詳しくは、ユーザーが仮想空間においてサイバー・ペット、即ちソボット（ＳＯＢＯＴ:ＳＯｆｔｗａｒｅ  ｒｏＢＯＴ）を育てることができるようなサービスを提供するソボット・サービス方法に関する。
【背景技術】
【０００２】
近年、各種愛玩動物に対する需要が急増しており、近隣に不便を与えずに育てることができるサイバー・ペットへの関心や利用率が高くなってきている。ここで、サイバー・ペットとは、仮想空間において存在する愛玩動物であって、ユーザー（主人）が「エサやり」、「遊ぶ」などのように仮想に育成（飼育）行為をすれば、それに伴って該愛玩動物の状態が決定され、その状態に応じて変わる該愛玩動物のイメージが示されることを言う。サイバー・ペットは主として、コンピュータまたは携帯電話に設けられることができるようにソフトウェアで製作されたり、サーバからインターネットを介してユーザーのコンピュータへサイバー・ペットのサービスが提供されたりする。このようにサイバー・ペットは、物理的な形状を有しないため、最近は「ソボット（ＳＯＢＯＴ）」（ソフトウェア（ＳＯｆｔｗａｒｅ）とロボット（ｒｏＢＯＴ）の略称）という用語として使われている。
【０００３】
前述のように、サイバー・ペットのサービスを提供する技術の一例として、韓国公開特許特２００１-５７８２９号（特許文献１）には、「ネットワーク上において仮想の愛玩動物を分譲して飼うような方法及びその方法を記録したコンピュータ読取り可能な記録媒体」に関する技術が示されている。具体的には、該特許文献１は、ネットワーク上においてユーザーに個人ホームページを割り当て、仮想の愛玩動物を分譲して、該ユーザーが自身のホームページにおいて該愛玩動物を直接飼うような方法である。しかし、該特許文献１によれば、ユーザーが自身の愛玩動物をロードするためには、自身のホームページへ直接接続する方式であるため、家にあるコンピュータで該愛玩動物を世話している中に外出をすることになる場合、携帯端末を用いて無線インターネットを通じて自身のホームページへの接続をしなければ、該愛玩動物を携帯端末で世話することができない。逆に、外出地から帰宅した場合、コンピュータを用いてインターネットを通じて自身のホームページへの接続をしなければ、コンピュータで該愛玩動物を世話することもできない。
【０００４】
このように、幾つかの端末を用いて愛玩動物を世話しようとする場合、該愛玩動物を世話しようとする度に、各端末で自身のホームページへ接続しなければならないという面倒さがある。このような面倒さによって、ユーザーは愛玩動物を呼び出す頻度が減るようになり、サイバー・ペットが常に自身の傍らで常駐している時感じる親しみが低下するという問題があった。
【特許文献１】韓国特許出願公開第２００１-５７８２９号明細書
【発明の開示】
【発明が解決しようとする課題】
【０００５】
本発明は、前記のような問題を解決するために提案されたもので、主人が外出したり帰宅したりする場合、コンピュータから移動端末へ、移動端末からコンピュータへ、ソボット（サイバー・ペット）を自動に移動させることができるソボット・サービス方法及びシステムを提供することに、その目的がある。
【課題を解決するための手段】
【０００６】
上記の目的を達成するために、本発明によるソボット・サービス方法は、位置追跡システムと連係しているソボット・サービス・システムが、移動端末の位置情報に基づいて、所定の地域範囲に配置されているコンピュータと移動端末との間でソボットを自動的に移動させる、ソボット・サービス方法である。詳しくは、本発明は、（ａ）位置追跡システムからリアルタイムで加入者の移動端末の位置情報が伝送されるステップと、（ｂ）前記ステップ（ａ）の位置情報に基づいて、前記移動端末が前記所定の地域範囲を離脱しているか否か、または前記所定の地域範囲に進入しているか否かを判断するステップと、（ｃ）前記ステップ（ｂ）における判断の結果、前記移動端末が前記所定の地域範囲を離脱している場合、前記加入者のコンピュータへソボット・プログラムの実行終了指令を伝送後、前記移動端末へアップデート用ソボット情報及びソボット・プログラムの実行指令を伝送するステップ（ｃ１）、及び前記ステップ（ｂ）における判断の結果、前記移動端末が前記所定の地域範囲に進入している場合、前記移動端末へソボット・プログラムの実行終了指令を伝送後、前記コンピュータへアップデート用ソボット情報及びソボット・プログラムの実行指令を伝送するステップ（ｃ２）のうちのいずれか一つが選択されて行われるステップと、を含む。
【０００７】
本発明によれば、前記ステップ（ｃ１）での前記アップデート用ソボット情報は、前記移動端末に格納されているソボット情報の最終修正時刻後、前記ソボット・サービス・システムのデータベースにアップデートされたソボット情報であり、前記ステップ（ｃ２）での前記アップデート用ソボット情報は、前記コンピュータに格納されているソボット情報の最終修正時刻後、前記ソボット・サービス・システムのデータベースにアップデートされたソボット情報であってもよい。
【０００８】
本発明によれば、前記ステップ（ｃ１）は、前記ステップ（ｂ）における判断の結果、前記移動端末が前記所定の地域範囲を離脱している場合、前記移動端末へソボット・プログラムの実行如何を問い合せて、前記加入者が前記移動端末で該ソボット・プログラムの実行を受諾すれば、前記加入者のコンピュータへソボット・プログラムの実行終了指令を伝送後、前記移動端末へアップデート用ソボット情報及びソボット・プログラムの実行指令を伝送するステップであり、前記ステップ（ｃ２）は、前記ステップ（ｂ）における判断の結果、前記移動端末が前記所定の地域範囲に進入している場合、前記加入者のコンピュータへソボット・プログラムの実行如何を問い合せて、前記加入者が前記コンピュータで該ソボット・プログラムの実行を受諾すれば、前記移動端末へソボット・プログラムの実行終了指令を伝送後、前記コンピュータへアップデート用ソボット情報及びソボット・プログラムの実行指令を伝送するステップであってもよい。
【０００９】
本発明によれば、前記ステップ（ａ）の前に、加入者がコンピュータでソボット・サービス・システムへ接続して加入者の移動端末を含む加入者の情報を入力してサービス加入申立を行って、該ソボット・サービス・システムが位置追跡システムから前記加入者の移動端末の位置情報を受信し、該情報を前記コンピュータへ伝送すれば、前記加入者は前記位置情報に基づいて、所定の地域範囲を登録するステップを、さらに含むことが望ましい。
【００１０】
本発明によれば、前記ステップ（ａ）の前に、前記所定の地域範囲の登録後、各モジュールを制御するための制御部と、加入者にソボットの飼育手段を提供する飼育手段提供モジュールと、加入者から入力された飼育情報を受け付ける飼育情報受付モジュールと、ソボット情報に基づいてソボットの現在状態及び／又は行動を算出して表示するソボット状態表示モジュールと、アップデート済のソボット情報をソボット・サービス・システムへ伝送するソボット情報伝送モジュールと、ソボット・サービス・システムからソボット・プログラムの実行指令または実行終了指令を受け付けて該プログラムを実行または終了させる実行制御モジュールと、を備えるソボット・プログラムを、前記コンピュータ及び前記移動端末へ伝送するステップを、さらに含んでも良い。
【００１１】
本発明によれば、前記ステップ（ｃ１）での前記ソボット・プログラムの実行終了指令は、前記加入者のホーム・ゲートウエーを介して前記加入者のコンピュータへ伝送され、前記ステップ（ｃ２）での前記ソボット・プログラムの実行指令は、前記加入者のホーム・ゲートウエーを介して前記加入者のコンピュータへ伝送されてもよい。
【００１２】
本発明の他の側面によれば、加入者の移動端末別の地域範囲情報が格納されている加入者情報データベースと、位置追跡システムから前記加入者移動端末の位置情報をリアルタイムで受信し、前記加入者情報データベースに格納された前記加入者移動端末の地域範囲を問い合わせ、前記移動端末が前記所定の地域範囲を離脱または進入しているか否かを判断する位置情報分析モジュールと、前記加入者の移動端末またはコンピュータへソボット・プログラム実行指令またはソボット・プログラム実行終了指令を情報通信網を介して伝送することによって、該ソボット・プログラムの実行及び終了を制御する実行制御モジュールと、前記移動端末または前記コンピュータでソボット・プログラムが実行されている間、前記移動端末または前記コンピュータからソボット情報を受信してデータベースに格納するソボット情報受信モジュールと、データベースに格納されているソボット情報のうち、前記移動端末または前記コンピュータへアップデート用ソボット情報を伝送するソボット情報提供モジュールと、前記位置情報分析モジュールで前記移動端末が前記所定の地域範囲を離脱していると判断されれば、前記実行制御モジュールを呼び出して、前記コンピュータへはソボット・プログラム実行終了指令を伝送するようにし、前記実行制御モジュール及びソボット情報提供モジュールを呼び出して、前記移動端末へはソボット・プログラム実行指令及びアップデート用ソボット情報を伝送するようにし、前記位置情報分析モジュールで前記移動端末が前記所定の地域範囲に進入していると判断されれば、前記実行制御モジュールを呼び出して、前記移動端末へはソボット・プログラム実行終了指令を伝送するようにし、前記実行制御モジュール及びソボット情報提供モジュールを呼び出して、前記コンピュータへはソボット・プログラム実行指令及びアップデート用ソボット情報を伝送するようにする制御部と、を含むソボット・サービス・システムが提供される。
【００１３】
本発明によれば、加入者のコンピュータまたは移動端末へソボット・プログラムの実行如何を問い合せた後、その結果を受信して前記実行制御モジュールへ伝達する実行問合せモジュールをさらに含み、前記実行制御モジュールは、前記実行問合せモジュールにより実行受諾に関するデータが受け付けられる場合に限り、ソボット・プログラム実行指令及びソボット・プログラム実行終了指令を前記移動端末または前記コンピュータへ伝送するモジュールであることが望ましい。
【００１４】
本発明によれば、前記ソボット・プログラムは、加入者がソボットを飼育することができる手段を提供する飼育手段提供モジュールと、加入者がコンピュータまたは移動端末の入力装置を通じてソボットの飼育手段の中の少なくとも一つ以上を選択すれば、前記飼育情報を受け付けてソボット情報データベースに格納する飼育情報受付モジュールと、予め決定されたソボット生まれ情報、前記飼育情報受付モジュールにより格納されたソボット飼育情報、及び前記ソボット生まれ情報及び／又は前記ソボット飼育情報によるソボット状態情報が格納されているソボット情報データベースと、ソボットの状態または行動に応じるソボットのイメージ（写真、絵柄または動画）ファイルが格納されているソボット・イメージ・データベースと、前記ソボット情報データベースに格納されたソボット情報に基づいて、ソボットの現在状態を算出し、該ソボットの現在状態及び／又は行動にマッチするソボットのイメージを前記ソボット・イメージ・データベースから読み出して表示するソボット状態表示モジュールと、ソボット・プログラムが実行されている間、前記ソボット情報データベースにアップデートされるソボット情報を情報通信網を介してソボット・サービス・システムへ伝送するソボット情報伝送モジュールと、前記ソボット・サービス・システムからソボット・プログラムの実行指令または実行終了指令に応じてプログラムの実行及び終了を制御する実行制御モジュールとを含む。
【００１５】
本発明によれば、前記ソボットのイメージ（写真、絵柄または動画）ファイルは、愛玩動物イメージ・ファイルまたは人間イメージ・ファイルを含む。
【００１６】
本発明のさらに他の側面によれば、（ａ）位置追跡システムが加入者の移動端末の離脱情報または進入情報を伝送すれば、それを受信するステップと、（ｂ）前記ステップ（ａ）にて前記移動端末の離脱情報が受信された場合、前記加入者のコンピュータへソボット・プログラムの実行終了指令を伝送後、前記移動端末へアップデート用ソボット情報及びソボット・プログラムの実行指令を伝送するステップ（ｂ１）、及び前記ステップ（ａ）にて前記移動端末の進入情報が受信された場合、前記移動端末へソボット・プログラムの実行終了指令を伝送後、前記コンピュータへアップデート用ソボット情報及びソボット・プログラムの実行指令を伝送するステップ（ｂ２）のうちのいずれか一つが選択されて行われるステップとを含むソボット・サービス方法が提供される。
【００１７】
本発明のさらに他の側面によれば、位置追跡システムから加入者の移動端末の離脱情報または進入情報を受け付ける位置情報受付モジュールと、前記加入者の移動端末またはコンピュータへソボット・プログラム実行指令またはソボット・プログラム実行終了指令を情報通信網を介して伝送することによって、ソボット・プログラムの実行及び終了を制御する実行制御モジュールと、前記移動端末または前記コンピュータでソボット・プログラムが実行されている間、前記移動端末または前記コンピュータからソボット情報を受信してデータベースに格納するソボット情報受信モジュールと、データベースに格納されているソボット情報のうち、前記移動端末または前記コンピュータへアップデート用ソボット情報を伝送するソボット情報提供モジュールと、前記位置情報受付モジュールで前記移動端末の離脱情報が受け付けられれば、前記実行制御モジュールを呼び出して、前記コンピュータへはソボット・プログラム実行終了指令を伝送するようにし、前記実行制御モジュール及びソボット情報提供モジュールを呼び出して、前記移動端末へはソボット・プログラム実行指令及びアップデート用ソボット情報を伝送するようにし、前記位置情報受付モジュールで前記移動端末の進入情報が受け付けられれば、前記実行制御モジュールを呼び出して、前記移動端末へはソボット・プログラム実行終了指令を伝送するようにし、前記実行制御モジュール及びソボット情報提供モジュールを呼び出して、前記コンピュータへはソボット・プログラム実行指令及びアップデート用ソボット情報を伝送するようにする制御部と、を含むソボット・サービス・システムが提供される。
【発明の効果】
【００１８】
本発明の一側面によれば、主人が外出または帰宅する場合、ソボット（サイバー・ペット）がコンピュータから移動端末へ、移動端末からコンピュータへ自動に移動しているため、加入者が外出または帰宅時に直接ソボット・サービス・システムへ接続しなければならないという不便さが生じない。
【００１９】
本発明の他の側面によれば、主人の動きに応じてソボットが自動に移動されるため、加入者はソボットが常に自身の傍らにあるという親しみを感じることができる。
【００２０】
本発明のさらに他の側面によれば、ソボットを活動させるためのプロセスが大部分各端末（移動端末及びコンピュータ）で行われるため、データの伝送速度に関わらず、主人の行動に応じて速やかに反応するようなソボット・サービスを提供することができる。
【００２１】
本発明のさらに他の側面によれば、ソボット・キャラクタ・イメージをお手伝いサービス、チャット・サービス、日記サービスなどのように、キャラクタを表示可能なサービスと連係させることによって、ユーザーに興味深くて多角的なサービスを提供することができる。
【発明を実施するための最良の形態】
【００２２】
以下、添付の図面を参照しながら本発明の好適な実施の形態を詳記する。これに先立ち、本明細書及び特許請求の範囲において使われている用語や単語は通常的且つ辞書的な意味に限定して解釈するべきではなく、発明者は自身の発明を最良の方法にて説明するために用語の概念を適切に定義し得るという原則に立って、本発明の技術的思想に合う意味と概念として解釈するべきである。従って、本明細書において記載された実施の形態及び図面に示されている構成は、本発明の好適な実施の形態に過ぎず、本発明の技術的思想を全て代弁するものではなく、本出願時点において、これらを代替し得る多様な均等物及び変形例がありえることを理解するべきである。
【００２３】
まず、本明細書では「サイバー・ペット」または「サイバー・キャラクタ」と同じ意味として、便宜上「ソボット」（ＳＯＢＯＴ）という用語を用いることにする。
【００２４】
図１は、本発明によるソボット・サービス方法のネットワーク構成図である。図１を参照して、ソボット・サービス・システム１００が情報通信網を介して加入者のコンピュータ１０及び移動端末２０に連係し、該情報通信網を介して位置追跡システム２００にも連係している。
【００２５】
情報通信網とは、ＬＡＮ、ＷＡＮ、イントラネット及びそれと類似な内部ネットワークを含む多様なネットワークにより互いに接続され、インターネットへのアクセスを提供する包括的な意味のデータ通信網を意味し、ここには専用回線、公衆電話網（ＰＳＴＮ）を含む有線網だけでなく、移動通信網、携帯インターネット、衛星通信網及びＩＭＴ−２０００のような無線網を含むことと理解されたい。
【００２６】
コンピュータ１０は、加入者の家または会社に存在する端末であって、デスクトップ、ノートブック、ＩＰＴＶなど、ソボット・サービス・システム１００への接続ができる端末のうち、移動性のない端末のことを総称する。一方、コンピュータ１０は、超高速インターネット網等に直接連結されていてもよく、宅内ホーム・ゲートウエーを介して超高速インターネット網等に連結されていてもよい。
【００２７】
移動端末２０は、ソボット・サービス・システム１００に接続可能な端末のうち、携帯性のある端末のことを総称する。移動端末２０としてはセルラーフォン、ＰＣＳ電話、ＰＤＡフォンなどを挙げられるが、本発明はこれに限定されない。
【００２８】
ソボット・サービス・システム１００は、加入者のコンピュータ１０及び移動端末２０へソボット・サービスを提供するシステムである。ここで、ソボット（ＳＯＢＯＴ:ＳＯｆｔｗａｒｅ  ｒｏＢＯＴ）サービスとは前述の通り、サイバー・ペット飼育（育成）サービスを称する。ソボット・サービス・システム１００は、加入者が移動端末２０を携帯して外出した時はコンピュータ１０のソボットを移動端末２０へ移動させ、加入者が帰宅した時は移動端末２０のソボットをコンピュータ１０へ移動させる。
【００２９】
位置追跡システム２００は位置基盤サービス（ＬＢＳ；Ｌｏｃａｌ  Ｂａｓｅｄ  Ｓｅｒｖｉｃｅ）技術の一種として、加入者の移動端末２０の地理的な位置情報を取り込んで、ソボット・サービス・システム１００へ供給する。具体的には、位置追跡システム２００は、移動端末２０の位置が変更されている場合に、移動端末２０の位置情報をソボット・サービス・システム１００へ伝送してもよく、移動端末２０の位置が変更されていると、所定の地域範囲を離脱または進入したか否かを判断後、リアルタイムで離脱情報または進入情報をソボット・サービス・システム１００へ伝送してもよい。
【００３０】
本発明は、前述のような各ネットワーク主体の相互作用により行われる。
【００３１】
まず、加入者はコンピュータ１０または移動端末２０等でソボット・サービス・システム１００へ接続し、ソボット・サービスに加入後、コンピュータ１０のＩＰアドレス（または認証情報）、及び移動端末２０の識別コード（例えば、電話番号）、地域範囲（例えば、加入者の家位置）などを登録する。この際、ソボット・サービス・システム１００が移動端末２０の位置情報をリアルタイムで位置追跡システム２００から提供されることに対して、加入者が同意するようにすることが望ましい。
【００３２】
ここで、加入者の地域範囲とは、加入者の家や会社などのように加入者のコンピュータ１０の存在する所を意味する。地域範囲は、加入者がコンピュータ１０でソボット・サービス・システム１００へ直接地域範囲に関する情報（例えば、家住所）を入力してもよく、ソボット・サービス・システム１００が位置追跡システム２００に問い合せた後、地域範囲に存在する加入者の移動端末２０の位置を伝送されて登録してもよい。
【００３３】
上記のように、加入者がコンピュータ１０または移動端末２０等でソボット・サービスへの加入を完了後に、ソボット・サービス・システム１００からソボット・プログラムをダウンロードしてコンピュータ１０及び移動端末２０にインストールする。該ソボット・プログラムのインストールが完了すれば、加入者がコンピュータ１０または移動端末２０上でソボット・プログラムを実行して、飼育手段などによって該ソボットを育てることになる。
【００３４】
もし、加入者が移動端末２０を携帯して外出する場合（即ち、コンピュータ１０の存在する地域範囲を離脱している場合）、該外出事実が位置追跡システム２００により感知され、ソボット・サービス・システム１００はコンピュータ１０のソボット・プログラムを終了させる共に、移動端末２０のソボット・プログラムを実行させる。
【００３５】
一方、加入者が移動端末２０を有して外出後に帰宅する場合（即ち、コンピュータ１０の存在する地域範囲へ進入している場合）、該進入事実が位置追跡システム２００により感知され、ソボット・サービス・システム１００は移動端末２０のソボット・プログラムを終了させる共に、コンピュータ１０のソボット・プログラムを実行させる。
【００３６】
図２は、本発明の一実施の形態によるソボット・サービス・システムの構成図である。同図を参照して、ソボット・サービス・システム１００は制御部１０１と、加入者情報登録モジュール１０２と、位置情報分析モジュール１０３と、実行問合せモジュール１０４と、実行制御モジュール１０５と、ソボット情報受信モジュール１０６と、ソボット情報提供モジュール１０７とを備え、ソボット・プログラム格納所１１１と、加入者情報データベース１１２と、ソボット情報データベース１１３とを備える。
【００３７】
制御部１０１は、ソボット・サービスの提供に関する一連の処理を担当する。具体的には、位置情報分析モジュール１０３により、移動端末２０が所定の地域範囲を離脱していると判断されれば、実行制御モジュール１０５を呼び出して、コンピュータ１０へはソボット・プログラム実行終了指令を伝送するようにし、実行制御モジュール１０５及びソボット情報提供モジュール１０７を呼び出して、移動端末２０へはソボット・プログラム実行指令及びアップデート用ソボット情報を伝送するようにする。位置情報分析モジュール１０３により、移動端末２０が所定の地域範囲に進入していると判断されれば、実行制御モジュール１０５を呼び出して、移動端末２０へソボット・プログラム実行終了指令を伝送するようにし、実行制御モジュール１０５及びソボット情報提供モジュール１０７を呼び出して、コンピュータ１０へはソボット・プログラム実行指令及びアップデート用ソボット情報を伝送するようにする。
【００３８】
加入者情報登録モジュール１０２は、加入者がコンピュータ１０または移動端末２０で加入者情報を入力すれば、それを受信して加入者情報データベース１１２に格納するモジュールである。加入者情報のうち、「地域範囲」を登録するに当たって、加入者が直接地域範囲を入力してもよく、移動端末２０の位置を位置追跡システム２００に問い合せた後、その結果を受信して登録してもよい。加入者情報登録モジュール１０２は、加入者情報登録が全て完了すれば、加入者のコンピュータ１０及び移動端末２０へソボット・プログラムを伝送する。ソボット・プログラムの詳細な構成は、図３を参照して後述する。
【００３９】
位置情報分析モジュール１０３は、位置追跡システム２００から加入者の移動端末２０の位置情報をリアルタイムで受信し、加入者情報データベース１１２に格納されている加入者の移動端末２０の地域範囲を問い合わせて、移動端末２０が所定の地域範囲を離脱または進入しているか否かを判断する。例えば、加入者の移動端末２０の地域範囲がソウル市瑞草区牛眠洞１７番地である場合、リアルタイムで伝送されてきた移動端末２０の位置情報がソウル市瑞草区牛眠洞１７番地を離脱しているか否かまたは進入しているか否かを判断する。
【００４０】
実行問合せモジュール１０４は、加入者のコンピュータ１０または移動端末２０へソボット・プログラムの実行如何を問い合せた後、その結果を受信して実行制御モジュール１０５に伝達するモジュールである。詳しくは、加入者が地域範囲を離脱または進入してソボット・プログラムを実行させようとする時、加入者がソボットの実行を所望しないこともあるので、加入者にソボット・プログラムの実行如何を問い合せて、許諾を得た上でソボット・プログラムを実行させるものである。
【００４１】
実行制御モジュール１０５は、加入者の移動端末２０またはコンピュータ１０へソボット・プログラム実行指令またはソボット・プログラム実行終了指令を情報通信網を介して伝送することによって、ソボット・プログラムの実行及び終了を制御する。
【００４２】
ソボット情報受信モジュール１０６は、移動端末２０またはコンピュータ１０においてソボット・プログラムが実行されている間、移動端末２０またはコンピュータ１０からソボット情報を受信してソボット情報データベース１１３に格納するモジュールである。移動端末２０またはコンピュータ１０からソボット情報をリアルタイムで受信してもよく、ソボット・プログラムが終了する真際に、ソボット・プログラムの実行されている間変更されたソボット情報を一括して受信してもよい。
【００４３】
ソボット情報提供モジュール１０７は、ソボット情報データベース１１３に格納されているソボット情報のうち、移動端末２０またはコンピュータ１０へアップデート用ソボット情報を伝送するモジュールである。アップデート用ソボット情報とは、コンピュータ１０の場合、コンピュータ１０に格納されているソボット情報の最終修正時刻後、ソボット・サービス・システム１００のソボット情報データベース１１３にアップデートされたソボット情報であり、移動端末２０の場合、移動端末２０に格納されているソボット情報の最終修正時刻後、ソボット・サービス・システム１００のソボット情報データベース１１３にアップデートされたソボット情報を言う。
【００４４】
ソボット・プログラム格納所１１１はソボット・プログラムが格納されている格納空間であって、ソボット・プログラムは、加入者がソボット・サービスへの加入を完了する時、加入者のコンピュータ１０及び移動端末２０に設けられるプログラムである。ソボット・プログラムの構成についての詳細は、図３を参照して後述する。
【００４５】
加入者情報データベース１１２は、加入者の情報が格納されるデータベースである。具体的には、加入者情報としては、加入者名前、加入者住所、加入者認証情報（ＩＤ及び／又はパスワード）、コンピュータ１０のＩＰアドレスまたは認証情報、移動端末２０の識別コード（例えば、電話番号、ＩＰアドレス等）、加入者の地域範囲などを挙げられる。
【００４６】
ソボット情報データベース１１３は、加入者のコンピュータ１０または移動端末２０から伝送されてきたソボット情報が格納されるデータベースである。具体的には、ソボット識別コード、ソボット生まれ情報、ソボット飼育情報、ソボット状態情報などが挙げられる。ここで、ソボット生まれ情報はソボットの生まれる時から定められたソボットの状態を意味し、ソボット飼育情報はユーザーにより入力された飼育情報を意味し、ソボット状態情報はソボット生まれ情報及び／又は飼育情報によるソボットの状態または行動に関する情報である。
【００４７】
本発明は、前述のような構成要素を備えることによって、加入者にソボット・サービスを提供する。
【００４８】
図３は、図２中のソボット・プログラム格納所に格納されたソボット・プログラムの構成図である。図３を参照して、ソボット・プログラムは、飼育手段提供モジュール１３２と、飼育情報受付モジュール１３３と、ソボット状態表示モジュール１３４と、ソボット情報伝送モジュール１３５と、実行制御モジュール１３６とを含み、ソボット・イメージ・データベース１３７と、ソボット情報データベース１３８とを備える。
【００４９】
飼育手段提供モジュール１３２は、加入者にソボットを飼育することができる手段を提供するモジュールである。飼育手段とは、例えば、エサやり、遊ぶ、プレゼントを与える、服着せ、アクセサリ飾りなどのように、ソボットを飼育することができる手段をいう。ソボットが愛玩動物でなく、人間キャラクタの場合「飼育手段」よりは「養育手段」という用語が適切であるが、本明細書では便宜上、飼育手段との用語を用いることにする。
【００５０】
飼育情報受付モジュール１３３は、加入者がコンピュータ１０または移動端末２０の入力装置でソボットの飼育手段のうちの少なくとも一つ以上を選択すれば、該飼育情報を受け付けてソボット情報データベース１３８に格納するモジュールである。例えば、加入者がエサやり、遊ぶ、プレゼントを与えるなどのような飼育手段を選択した場合、該選択された飼育手段に関する情報を受け付けて格納するものである。
【００５１】
ソボット状態表示モジュール１３４は、ソボット情報データベース１３８に格納されているソボット情報に基づいて、ソボットの現在状態を算出し、該ソボット状態にマッチするソボットのイメージをソボット・イメージ・データベース１３７から読み出して表示するモジュールである。例えば、ソボットのユーザーが所定時間「エサやり」という飼育手段を選択していない場合、ソボット状態情報に「エサを与えてない状態」が格納され、この時、ソボット状態表示モジュール１３４により現在のソボット状態及び／又は行動「お腹ペコペコ」として算出され、該「お腹ペコペコ」状態に該当するソボットのイメージ（例えば、お腹ペコペコで力がでないような様子、またはエサを下さいとむずかる様子）が表示される。
【００５２】
ソボット情報伝送モジュール１３５は、ソボット・プログラムが実行されている間、ソボット情報データベース１３８にアップデートされるソボット情報を情報通信網を介してソボット・サービス・システム１００へ伝送するモジュールである。
【００５３】
実行制御モジュール１３６は、ソボット・サービス・システム１００からのソボット・プログラムの実行指令または実行終了指令に応じて、プログラムの実行及び終了を制御するモジュールである。
【００５４】
ソボット・イメージ・データベース１３７は、ソボットの現在状態または行動にマッチするソボットのイメージ（写真、絵柄または動画）ファイルが格納されているデータベースである。ここで、ソボットのイメージ・ファイルは、愛玩動物のイメージ・ファイルまたは人間のイメージ・ファイルを含む。
【００５５】
ソボット情報データベース１３８は、予め決定されているか、または加入者により入力されたソボット情報が格納される。具体的には、ソボット識別コード、ソボット生まれ情報、ソボット飼育情報、ソボット状態情報などを挙げられる。詳しくは、ここでアップデートされるソボット情報とは、加入者によりアップデートされた飼育情報であってもよく、ソボット飼育情報またはソボット生まれ情報に基づいて算出されたソボット状態情報が含まれていてもよい。
【００５６】
本発明によるソボット・サービス・システム１００のソボット・プログラム格納所に格納されたソボット・プログラムは前述のような構成を備えることによって、加入者の移動端末２０及びコンピュータ１０にダウンロードされて、ソボット・サービス・システム１００がソボット・サービスを提供することができるようにする。
【００５７】
図４は本発明の一実施の形態によるソボット・サービス方法の流れ図であり、図５は図４に示されているソボット・サービス方法をネットワーク主体別に示した図面である。図４及び図５を参照して、ソボット・サービス・システム１００は、位置追跡システム２００から加入者の移動端末２０の位置情報をリアルタイムで受信する（ステップＳ１００）。詳しくは、移動端末２０の位置が変更される度に、該位置が位置追跡システム２００により感知され、ソボット・サービス・システム１００へ伝送される。
【００５８】
ソボット・サービス・システム１００は受信した位置情報に基づいて、所定の地域範囲を離脱しているか否かまたは所定の地域範囲に進入しているか否かを判断する（ステップＳ１１０及びＳ２１０）。ここで、所定の地域範囲とは加入者のコンピュータ１０の存在する所であって、加入者の家、会社などである。従って、所定の地域範囲からの離脱は、加入者が移動端末２０を携帯して外出（会社の場合、退勤）する時発生し、所定の地域範囲への進入は、加入者が移動端末２０を携帯して帰宅（会社の場合、出勤）する時発生する。
【００５９】
ステップＳ１１０及びＳ２１０における判断の結果、所定の地域範囲へ進入しておらず、そこから離脱してもいない場合（即ち、ステップＳ１１０の「いいえ」、ステップＳ２１０の「いいえ」）には、再びステップＳ１００に進んで、位置情報受信待機状態となる。
【００６０】
もし、ステップＳ１１０における判断の結果、地域範囲を離脱していると判断されれば（ステップＳ１１０の「はい」）、まず、移動端末２０へソボット・プログラムの実行如何を問い合せる（ステップＳ１２０）。ここで、ソボット・プログラムの実行が受諾されない場合（ステップＳ１３０の「いいえ」）には、再びステップＳ１００に進んで、位置情報受信待機状態となる。
【００６１】
もし、ステップＳ１３０にて、移動端末２０においてソボット・プログラムの実行が受諾された場合（ステップＳ１３０の「はい」）には、コンピュータ１０へソボット・プログラムが実行中であるか否かを問い合わせ、該ソボット・プログラムが実行中の場合、ソボット・プログラムの実行終了指令をコンピュータ１０へ伝送してプログラムを終了させる（ステップＳ１４０）。ここで、該実行終了指令は加入者のホーム・ゲートウエーを介してコンピュータ１０へ伝送されてもよい。
【００６２】
続いて、移動端末２０へ伝送するアップデート用ソボット情報が存在する場合（ステップＳ１５０の「はい」）、アップデート用ソボット情報を移動端末２０へ伝送し、移動端末２０はそれをダウンロードする（ステップＳ１６０）。ここで、アップデート用ソボット情報とは、移動端末２０に格納されているソボット情報の最終修正時刻後、ソボット・サービス・システム１００のデータベースにアップデートされたソボット情報である。アップデート用ソボット情報を提供することは、移動端末２０においてソボット・プログラムが実行され、ソボット情報が最終に格納された後に、コンピュータ１０においてソボット・プログラムが実行された場合、ソボット情報が更新されることができるので、この場合、更新されたソボット情報を移動端末２０へ提供した後に、移動端末２０にソボット・プログラムを実行させることによって、いくつかの端末で行われたソボットの情報を累積管理するためである。
【００６３】
ステップＳ１６０にてアップデート用ソボット情報のダウンロードが完了すれば、移動端末２０へ伝送されたソボット・プログラムの実行指令により、ソボット・プログラムが実行される（ステップＳ１７０）。ソボット・プログラムが実行されている間、移動端末２０上で更新されるソボット情報がリアルタイムでソボット・サービス・システム１００へ伝送される。場合によっては、ソボット・プログラムを終了する間際に更新されたソボット情報が一括して伝送されてもよい。このように、加入者が外出した時自動に移動端末２０で実行されたソボット・プログラムは、加入者の指令により手動で終了するか、または加入者が帰宅して所定の地域範囲に進入している時、自動的に終了する（ステップＳ１８０）。
【００６４】
もし、ステップＳ２１０における判断結果、地域範囲に進入していると判断されれば（ステップＳ２１０の「はい」）、まず、コンピュータ１０にソボット・プログラムの実行如何を問い合せる（ステップＳ２２０）。ここで、ソボット・プログラムの実行が受諾されない場合（ステップＳ２３０の「いいえ」）には、再びステップＳ１００に進んで、位置情報受信待機状態となる。
【００６５】
もし、ステップＳ２３０にて、移動端末２０でソボット・プログラムの実行が受諾された場合（ステップＳ２３０の「はい」）には、移動端末２０へソボット・プログラムが実行中であるか否かを問い合わせ、ソボット・プログラムが実行中の場合、ソボット・プログラムの実行終了指令を移動端末２０へ伝送し、プログラムを終了させる（ステップＳ２４０）。
【００６６】
続いて、移動端末２０へ伝送するアップデート用ソボット情報が存在する場合（ステップＳ２５０の「はい」）、アップデート用ソボット情報をコンピュータ１０へ伝送し、コンピュータ１０はそれをダウンロードする（ステップＳ２６０）。ここで、アップデート用ソボット情報とは、コンピュータに格納されているソボット情報の最終修正時刻後、ソボット・サービス・システム１００のデータベースにアップデートされたソボット情報を言う。
【００６７】
ステップＳ２６０にてアップデート用ソボット情報のダウンロードが完了すれば、コンピュータ１０へ伝送されたソボット・プログラム実行指令により、ソボット・プログラムが実行される（ステップＳ２７０）。ここで、該実行指令は加入者のホーム・ゲートウエーを介してコンピュータ１０へ伝送されてもよい。ソボット・プログラムが実行されている間、コンピュータ１０上で更新されるソボット情報がリアルタイムでソボット・サービス・システム１００へ伝送される。このように、加入者が帰宅した時自動にコンピュータ１０で実行されたソボット・プログラムは、加入者の指令により手動で終了するか、または加入者が帰宅して所定の地域範囲を離脱している時自動的に終了する（ステップＳ２８０）。
【００６８】
本発明の一実施の形態によるソボット・サービス方法は、前述のような諸ステップが行われることによって、ソボットが加入者の移動端末２０とコンピュータ１０との間で自動的に移動するようなソボット・サービスを提供することができる。
【００６９】
図６は、本発明の他の実施の形態によるソボット・サービス・システムの構成図である。同図を参照して、ソボット・サービス・システム１２０は制御部１２１と、加入者情報登録モジュール１２２と、位置情報受付モジュール１２３と、実行問合せモジュール１２４と、実行制御モジュール１２５と、ソボット情報受信モジュール１２６と、ソボット情報提供モジュール１２７とを備え、ソボット・プログラム格納所１３１と、加入者データベース１３２と、ソボット情報データベース１３３とを備える。
【００７０】
制御部１２１は、位置情報受付モジュール１２３により移動端末２０の離脱情報が受け付けられれば、実行制御モジュール１２５を呼び出して、コンピュータ１０へソボット・プログラム実行終了指令を伝送するようにして、実行制御モジュール１２５及びソボット情報提供モジュール１２７を呼び出して、移動端末２０へはソボット・プログラム実行指令及びアップデート用ソボット情報を伝送するようにする。また、位置情報受付モジュール１２３により移動端末２０の進入情報が受け付けられれば、実行制御モジュール１２５を呼び出して、移動端末２０へはソボット・プログラム実行終了指令を伝送するようにして、実行制御モジュール１２５及びソボット情報提供モジュール１２７を呼び出して、コンピュータ１０へはソボット・プログラム実行指令及びアップデート用ソボット情報を伝送するようにする。
【００７１】
位置情報受付モジュール１２３は、位置追跡システム２００から加入者移動端末２０の離脱情報または進入情報を受け付けるモジュールである。即ち、位置追跡システム２００において、加入者の地域範囲に関する情報が格納されており、位置追跡システム２００がリアルタイムで受け付けられる位置情報に基づいて、加入者が所定の地域範囲（例えば、家、会社）を離脱または進入しているか否かの判断を行って、移動端末２０が地域範囲を離脱または進入している場合に、ソボット・サービス・システム１２０へ離脱情報または進入情報を伝送する。すると、ソボット・サービス・システム１２０の位置情報受付モジュール１２３が該離脱情報または進入情報を受け付けて、ソボット・サービス・システム１２０がコンピュータ１０または移動端末２０のソボット・プログラムの実行を制御するようになる。
【００７２】
一方、本発明の他の実施の形態によるソボット・サービス・システム１２０において備える加入者情報登録モジュール１２２、実行問合せモジュール１２４、実行制御モジュール１２５、ソボット情報受信モジュール１２６、ソボット情報提供モジュール１２７、ソボット・プログラム格納所１３１、加入者データベース１３２、及びソボット情報データベース１３３は、本発明の一実施の形態によるソボット・サービス・システム１００の加入者情報登録モジュール１０２、実行問合せモジュール１０４、実行制御モジュール１０５、ソボット情報受信モジュール１０６、ソボット情報提供モジュール１０７、ソボット・プログラム格納所１１１、加入者データベース１１２、及びソボット情報データベース１１３とそれぞれ同じなので、その説明は省略することにする。
【００７３】
図７は、本発明の他の実施の形態によるソボット・サービス方法の流れ図である。図７を参照して、ソボット・サービス・システム１２０は、位置追跡システム２００から移動端末２０の位置情報を受信する（ステップＳ３００）。ソボット・サービス・システム１２０が位置追跡システム２００から離脱情報を受信した場合（ステップＳ３１０）には、ステップＳ３２０以下のステップが行われ、位置追跡システム２００から進入情報を受信した場合（ステップＳ４１０）には、ステップＳ４２０以下のステップが行われる。
【００７４】
ここで、ステップＳ３２０以下のステップは、本発明の一実施の形態によるソボット・サービス方法におけるステップＳ１２０以下のことと同じく行われ、ステップＳ４２０以下のステップは、本発明の一実施の形態によるソボット・サービス方法におけるステップＳ４２０のことと同じく行われるため、その説明は省略することにする。
【００７５】
本発明の他の実施の形態によるソボット・サービス方法は、前述のように諸ステップが行われることによって、ソボットが加入者の移動端末２０とコンピュータ１０との間で自動に移動するようなソボット・サービスを提供することができる。
【００７６】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味及び範囲内でのすべての変更が含まれることが意図される。
【図面の簡単な説明】
【００７７】
【図１】本発明によるソボット・サービス方法のネットワーク構成図である。
【図２】本発明の一実施の形態によるソボット・サービス・システムの構成図である。
【図３】図２中のソボット・プログラム格納所に格納されたソボット・プログラムの構成図である。
【図４】本発明の一実施の形態によるソボット・サービス方法の流れ図である。
【図５】図４に示したソボット・サービス方法をネットワーク主体別に示した図である。
【図６】本発明の他の実施の形態によるソボット・サービス・システムの構成図である。
【図７】本発明の他の実施の形態によるソボット・サービス方法の流れ図である。
【符号の説明】
【００７８】
１０  コンピュータ
２０  移動端末
１００  ソボット・サービス・システム
１０１  制御部
１０２  加入者情報登録モジュール
１０３  位置情報分析モジュール
１０４  実行問合せモジュール
１０５  実行制御モジュール
１０６  ソボット情報受信モジュール
１０７  ソボット情報提供モジュール
１１１  ソボット・プログラム格納所
１１２  加入者情報データベース
１１３  ソボット情報データベース
２００  位置追跡システム
【図１】
2008542906.tif 000003
【図２】
2008542906.tif 000004
【図３】
2008542906.tif 000005
【図４】
2008542906.tif 000006
【図５】
2008542906.tif 000007
【図６】
2008542906.tif 000008
【図７】
2008542906.tif 000009
【国際調査報告】
2008542906.tif 000010
2008542906.tif 000011